(57)【要約】【課題】介助者の助けを借りることなく本人が容易に自力で寝返りを打つことを可能にする。【解決手段】敷き布団２２側に配置される下シート１４と人体２０側に配置される上シート１６の少なくとも２枚のシートが互いに滑面１８を介して重ね合わされており、上シート１６と下シート１４とが人体２０の背骨に平行な方向への相対移動を妨げるように、両者を一体化する一体化手段が設けられている。上シート１６と下シート１４とが滑るので、上に寝ると寝返りが打ちやすい。上シート１６と下シート１４とが一体化されていれば、寝返りを繰り返したときに、上シート１６と下シート１４とが分離しない。【選択図】図１
2011104210.tif 000002
【特許請求の範囲】
【請求項１】
敷き布団２２側に配置される下シート１４と人体２０側に配置される上シート１６の少なくとも２枚のシートが互いに滑面１８を介して重ね合わされており、
前記上シート１６と下シート１４とが前記人体２０の背骨に平行な方向への相対移動を妨げるように、両者を一体化する一体化手段が設けられていることを特徴とする寝返りシート。
【請求項２】
請求項１に記載の寝返りシート１０において、
前記上シート１６と下シート１４はいずれも前記人体２０の両側に、前記人体２０の背骨にほぼ平行な端縁を配置し、かつ、前記上シート１６と下シート１４の一方の端縁２４は連続し、他方の端縁２６は縫合されていることを特徴とする寝返りシート。
【請求項３】
請求項１に記載の寝返りシート１０において、
前記上シート１６と下シート１４はいずれも前記人体２０の両側に、前記人体２０の背骨にほぼ平行な端縁を配置し、かつ、前記上シート１６と下シート１４の両方の端縁が縫合されていることを特徴とする寝返りシート。
【請求項４】
請求項１に記載の寝返りシート１０において、
前記下シート１４は前記人体２０の両側に前記人体２０の背骨にほぼ平行な端縁を配置し、複数の上シート１６の前記人体２０の背骨にほぼ平行な一方の端縁２４が、前記下シート１４上に所定間隔で縫合されていることを特徴とする寝返りシート。
【請求項５】
請求項１に記載の寝返りシート１０において、
前記上シート１６と下シート１４とは、前記人体２０の背骨に平行な線を境に折り曲げられて連続一体化された、人体２０の幅に比べて十分に狭い幅のユニット３０とされており、このユニット３０を複数、前記人体２０の幅方向に隙間なく配列して連結したことを特徴とする寝返りシート。
【請求項６】
請求項１に記載の寝返りシート１０において、
前記下シート１４は、前記上シート１６が前記人体２０に密着するように上シート１６の上面を開放し、前記上シート１６の前記人体２０の幅方向の縁を包囲して、前記上シート１６の前記人体２０の背骨に平行な方向の移動を制限し、前記人体２０の幅方向の移動のみを許容するガイド構造を有することを特徴とする寝返りシート。
【請求項７】
請求項１乃至６のいずれかに記載の寝返りシート１０において、
前記上シート１６の周辺およびまたは対角線上にシート張り用ワイヤー４０を埋め込んだことを特徴とする寝返りシート。
【請求項８】
請求項１乃至７のいずれかに記載の寝返りシート１０において、
前記上シート１６は、形状記憶繊維から構成したことを特徴とする寝返りシート。
【請求項９】
請求項１乃至８のいずれかに記載の寝返りシート１０において、
前記下シート１４と上シート１６とは、生地表面に滑性がある化学繊維から構成したことを特徴とする寝返りシート。
【請求項１０】
請求項１乃至９のいずれかに記載の寝返りシート１０において、
前記下シート１４と上シート１６の両端縁が、人体２０の背骨にほぼ平行な方向に貫通する窓を持つ一対のチューブ状シート１２に固定されていることを特徴とする寝返りシート。
【請求項１１】
請求項１乃至１０のいずれかに記載の寝返りシートにおいて、
サテン生地を上シートと下シート１４に使用し、両シートの生地目が交差する様に配置することを特徴とする寝返りシート。
【請求項１２】
請求項１に記載の寝返りシートにおいて、
上シートと下シートは縫合されていない互いに独立して重ねられたシートであって、上シートの四隅に、上シートを下シート上の定位置に戻したときに弾力が均衡するように上シートの四隅を弾力で牽引するリールコードを固定したことを特徴とする寝返りシート。
【請求項１３】
請求項１乃至１０のいずれかに記載の寝返りシートにおいて、
上シート１６が両端で折り返されて、その端縁が下シート１４に縫合されており、上シートが下シートに一体に連結されてループ状になっていて、上シートの両折り返し縁に一体化した補強用の上シート張り棒が設けられていることを特徴とする寝返りシート。
【請求項１４】
請求項１に記載の寝返りシートにおいて、
上シートと下シートは縫合されていない互いに独立して重ねられたシートであって、上シートの四隅に、上シートを下シート上の定位置に戻したときに弾力が均衡するように上シートの四隅をゴムひもで牽引することを特徴とする寝返りシート。
【請求項１５】
請求項１乃至１４のいずれかに記載の寝返りシートにおいて、
下シート固定用シートを敷き布団よりも幅広に構成したことを特徴とする寝返りシート。
【請求項１６】
請求項１乃至１５のいずれかに記載の寝返りシートにおいて、
リールコードをゼンマイの弾力でケース内に巻き込み、前記リールコードを引き出すと、前記リールコードに対して前記ケース内に引き込む方向に弾力を及ぼす機能を持つ牽引リールを使用して、前記下シートに設けたリール固定用ポケットに前記牽引リールを納めて固定し、前記リールコードを前記はポケットに設けた小穴から外部へ引き出して、前記上シートに固定したことを特徴とする寝返りシート。
【請求項１７】
請求項１６に記載の寝返りシートにおいて、
前記ポケットを複数個、下シートに固定したことを特徴とする寝返りシート。
【請求項１８】
請求項１乃至１７のいずれかに記載の寝返りシートにおいて、
前記上シートと下シートとが上下に重なり合う面の生地目方向が交差するように、前記上シートと下シートの生地目方向を選択したことを特徴とする寝返りシート。
【請求項１９】
請求項１乃至１７のいずれかに記載の寝返りシートにおいて、
前記上シートと下シートとが上下に重なり合う面の間に、生地目方向が交差する中間のシートを挟む三層構造にしたことを特徴とする寝返りシート。
【請求項２０】
請求項１乃至１９のいずれかに記載の寝返りシートにおいて、上シートと下シートとを一時的に固定する固定手段を設けたことを特徴とする寝返りシート。
【発明の詳細な説明】
【技術分野】
【０００１】
本発明は、敷き布団と人体の間に敷いて、寝返りを打ち易くするための寝返りシートに関する。
【背景技術】
【０００２】
病人や老人等で、自由に寝返りを打つことができない人のために各種の介護用品が開発されている（特許文献１参照）（特許文献２参照）（特許文献３参照）。
【先行技術文献】
【特許文献】
【０００３】
【特許文献１】特開２００６−１０９９２８
【特許文献２】実用新案登録第３１２６７５１号
【特許文献３】実開平６−７７７２８
【発明の概要】
【発明が解決しようとする課題】
【０００４】
既知の従来の技術には、次のような解決すべき課題があった。
従来の介護用品はいずれも、介助者の手助けにより使用されるもので、本人が容易に自力で寝返りを打つことを支援するものではない。
上記の課題を解決するために、本発明は、介助者の助けを借りることなく本人が容易に自力で寝返りを打つことを可能にする寝返りシートを提供することを目的とする。
【課題を解決するための手段】
【０００５】
以下の構成はそれぞれ上記の課題を解決するための手段である。
〈構成１〉
敷き布団２２側に配置される下シート１４と人体２０側に配置される上シート１６の少なくとも２枚のシートが互いに滑面１８を介して重ね合わされており、前記上シート１６と下シート１４とが前記人体２０の背骨に平行な方向への相対移動を妨げるように、両者を一体化する一体化手段が設けられていることを特徴とする寝返りシート。
【０００６】
〈構成２〉
構成１に記載の寝返りシート１０において、前記上シート１６と下シート１４はいずれも前記人体２０の両側に、前記人体２０の背骨にほぼ平行な端縁を配置し、かつ、前記上シート１６と下シート１４の一方の端縁２４は連続し、他方の端縁２６は縫合されていることを特徴とする寝返りシート。
【０００７】
〈構成３〉
構成１に記載の寝返りシート１０において、前記上シート１６と下シート１４はいずれも前記人体２０の両側に、前記人体２０の背骨にほぼ平行な端縁を配置し、かつ、前記上シート１６と下シート１４の両方の端縁が縫合されていることを特徴とする寝返りシート。
【０００８】
〈構成４〉
構成１に記載の寝返りシート１０において、前記下シート１４は前記人体２０の両側に前記人体２０の背骨にほぼ平行な端縁を配置し、複数の上シート１６の前記人体２０の背骨にほぼ平行な一方の端縁２４が、前記下シート１４上に所定間隔で縫合されていることを特徴とする寝返りシート。
【０００９】
〈構成５〉
構成１に記載の寝返りシート１０において、前記上シート１６と下シート１４とは、前記人体２０の背骨に平行な線を境に折り曲げられて連続一体化された、人体２０の幅に比べて十分に狭い幅のユニット３０とされており、このユニット３０を複数、前記人体２０の幅方向に隙間なく配列して連結したことを特徴とする寝返りシート。
【００１０】
〈構成６〉
構成１に記載の寝返りシート１０において、前記下シート１４は、前記上シート１６が前記人体２０に密着するように上シート１６の上面を開放し、前記上シート１６の前記人体２０の幅方向の縁を包囲して、前記上シート１６の前記人体２０の背骨に平行な方向の移動を制限し、前記人体２０の幅方向の移動のみを許容するガイド構造を有することを特徴とする寝返りシート。
【００１１】
〈構成７〉
構成１乃至６のいずれかに記載の寝返りシート１０において、前記上シート１６の周辺およびまたは対角線上にシート張り用ワイヤー４０を埋め込んだことを特徴とする寝返りシート。
【００１２】
〈構成８〉
構成１乃至７のいずれかに記載の寝返りシート１０において、前記上シート１６は、形状記憶繊維から構成したことを特徴とする寝返りシート。
【００１３】
〈構成９〉
構成１乃至８のいずれかに記載の寝返りシート１０において、前記下シート１４と上シート１６とは、生地表面に滑性がある化学繊維から構成したことを特徴とする寝返りシート。
【００１４】
〈構成１０〉
構成１乃至９のいずれかに記載の寝返りシート１０において、前記下シート１４と上シート１６の両端縁が、人体２０の背骨にほぼ平行な方向に貫通する窓を持つ一対のチューブ状シート１２に固定されていることを特徴とする寝返りシート。
【００１５】
〈構成１１〉
構成１乃至１０のいずれかに記載の寝返りシートにおいて、サテン生地を上シートと下シート１４に使用し、両シートの生地目が交差する様に配置することを特徴とする寝返りシート。
【００１６】
〈構成１２〉
構成１に記載の寝返りシートにおいて、上シートと下シートは縫合されていない互いに独立して重ねられたシートであって、上シートの四隅に、上シートを下シート上の定位置に戻したときに弾力が均衡するように上シートの四隅を弾力で牽引するリールコードを固定したことを特徴とする寝返りシート。
【００１７】
〈構成１３〉
構成１乃至１０のいずれかに記載の寝返りシートにおいて、上シート１６が両端で折り返されて、その端縁が下シート１４に縫合されており、上シートが下シートに一体に連結されてループ状になっていて、上シートの両折り返し縁に一体化した補強用の上シート張り棒が設けられていることを特徴とする寝返りシート。
【００１８】
〈構成１４〉
構成１に記載の寝返りシートにおいて、上シートと下シートは縫合されていない互いに独立して重ねられたシートであって、上シートの四隅に、上シートを下シート上の定位置に戻したときに弾力が均衡するように上シートの四隅をゴムひもで牽引することを特徴とする寝返りシート。
【００１９】
〈構成１５〉
構成１乃至１４のいずれかに記載の寝返りシートにおいて、下シート固定用シートを敷き布団よりも幅広に構成したことを特徴とする寝返りシート。
【００２０】
〈構成１６〉
構成１乃至１５のいずれかに記載の寝返りシートにおいて、リールコードをゼンマイの弾力でケース内に巻き込み、前記リールコードを引き出すと、前記リールコードに対して前記ケース内に引き込む方向に弾力を及ぼす機能を持つ牽引リールを使用して、前記下シートに設けたリール固定用ポケットに前記牽引リールを納めて固定し、前記リールコードを前記はポケットに設けた小穴から外部へ引き出して、前記上シートに固定したことを特徴とする寝返りシート。
【００２１】
〈構成１７〉
構成１６に記載の寝返りシートにおいて、前記ポケットを複数個、下シートに固定したことを特徴とする寝返りシート。
【００２２】
〈構成１８〉
構成１乃至１７のいずれかに記載の寝返りシートにおいて、前記上シートと下シートとが上下に重なり合う面の生地目方向が交差するように、前記上シートと下シートの生地目方向を選択したことを特徴とする寝返りシート。
【００２３】
〈構成１９〉
構成１乃至１７のいずれかに記載の寝返りシートにおいて、前記上シートと下シートとが上下に重なり合う面の間に、生地目方向が交差する中間のシートを挟む三層構造にしたことを特徴とする寝返りシート。
【００２４】
〈構成２０〉
構成１乃至１９のいずれかに記載の寝返りシートにおいて、上シートと下シートとを一時的に固定する固定手段を設けたことを特徴とする寝返りシート。
【発明の効果】
【００２５】
〈構成１の効果〉
敷き布団２２側に配置される下シート１４と人体２０側に配置される上シート１６が滑面１８を介して重ね合わされているので、その上に寝ると寝返りが打ちやすい。人体２０の背骨に平行な方向への相対移動を妨げるように、上シート１６と下シート１４とが一体化されていれば、寝返りを繰り返したときに、上シート１６と下シート１４とが分離しない。
〈構成２の効果〉
上シート１６と下シート１４とは、一方の端縁２４で折り返された連続したシートで、他方の端縁２６はヒートシール等の手段で縫合されることが好ましい。このチューブ状シート１２はそのまま人体２０の下に敷かれてもよいし、人体２０の背骨に平行な複数の線でタックを付けるように数カ所で折り返されてもよい。
〈構成３の効果〉
上シート１６と下シート１４とは別々のシートにより構成して、両方の端縁がヒートシール等の手段で縫合されてもよい。
〈構成４の効果〉
一枚の敷き布団２２と同程度の幅の下シート１４上に、所定間隔で複数の上シート１６の一方の端縁２４が縫合されていると、どの部分でも、下シート１４と上シート１６が滑面１８を介して重ね合わされている状態になる。こうしたルーバー状シート２８は、下シート１４と上シート１６の全体としてのずれが小さいという効果がある。
〈構成５の効果〉
上シート１６と下シート１４とを折り曲げて、人体２０の幅に比べて十分に狭い幅のユニット３０を得る。このユニット３０を複数、前記人体２０の幅方向に隙間なく配列して連結すると、どの部分でも、下シート１４と上シート１６が滑面１８を介して重ね合わされている状態になる。
〈構成６の効果〉
下シート１４をケース状シート３４とし、上シート１６をスライドシート３６とする。下シート１４は上シート１６の人体２０の幅方向の移動のみを許容するので、下シート１４と上シート１６の全体としてのずれが小さいという効果がある。
〈構成７の効果〉
上シート１６の周辺およびまたは対角線上にシート張り用ワイヤー４０を埋め込んだので、上シート１６に皺が寄らない。
〈構成８の効果〉
下シート１４と上シート１６の両端縁が、一対のチューブ状シート１２に固定されているので、上シート１６だけが自由に左右に移動する。
〈構成８の効果〉
上シート１６が皺になりにくい。
〈構成９の効果〉
上シート１６と下シート１４が相互に滑りやすい
〈構成１０の効果〉
上シート１６と下シート１４が一体化する。
〈構成１１の効果〉
上シート１６と下シート１４が相互に滑りやすい
〈構成１２の効果〉
リールコードを使って上シートを素早くもどす。
〈構成１３の効果〉
シートが皺になりにくい。
〈構成１４の効果〉
ゴム弾性を利用して上シートを引き戻す。
〈構成１５の効果〉
上シートが滑る範囲を広げる
〈構成１６の効果〉
リールコードにより上シートの戻りをよくすることができる。  
〈構成１７の効果〉
リールをポケットに納めて安全な構造になる。  
〈構成１８の効果〉
上シートと下シートのすべりをよくできる。  
〈構成１９の効果〉
上シートと下シートのすべりをよくできる。  
〈構成２０の効果〉
使用直前に上シートとしたシートの位置を正常にできる。
【図面の簡単な説明】
【００２６】
【図１】実施例１の寝返りシートの斜視図
【図２】寝返りシートの原理を示した解説図
【図３】実施例１の寝返りシート使用時の配置図
【図４】実施例２の寝返りシートの斜視図
【図５】実施例３の寝返りシートの斜視図
【図６】実施例４の寝返りシートの斜視図
【図７】実施例５の寝返りシートの斜視図
【図８】実施例６の寝返りシートの斜視図
【図９】実施例７の寝返りシート１０の一例を示す斜視図である。
【図１０】実施例７の寝返りシート１０が機能した時の各部位置関係を断面からみた解説図である。
【図１１】実施例８のシートの斜視図である。
【図１２】実施例８の上シート１６を滑らせてリールコードを引いた状態を示した図である。
【図１３】実施例９のシートの斜視図である。
【図１４】実施例９のシートを実際に使用した時の状態を示した斜視図である。
【図１５】実施例１０のシートの斜視図である。
【図１６】実施例１０のゴムひも５２が伸びた状態の斜視図である。
【図１７】実施例１１の下シートの固定方法を説明する斜視図である。
【図１８】実施例１１のシートの斜視図である。
【図１９】リール固定用ポケット５４の斜視図である。
【図２０】リール固定用ポケット５４を横から見た断面図である。
【図２１】リール固定用ポケット５４の断面図である。
【図２２】リール固定用ポケット５４の上シート牽引リール４８を装着した時の断面図である。
【図２３】実施例１３のシートの分解斜視図である。
【図２４】実施例１３のシートの主要部斜視図である。
【図２５】実施例１４のシートの斜視図である。
【発明を実施するための形態】
【００２７】
以下、本発明の実施の形態を実施例毎に詳細に説明する。
【実施例１】
【００２８】
図１は実施例１の寝返りシート１０の一例を示す斜視図である。寝返りシート１０は、チューブ状シート１２と下シート１４と上シート１６と滑面１８と人体２０と敷き布団２２と一方の端縁２４と他方の端縁２６とルーバー状シート２８とユニット３０とケース状シート３４とスライドシート３６ととを備えている。
敷き布団２２側に配置される下シート１４と人体２０側に配置される上シート１６の少なくとも２枚のシートが互いに滑面１８を介して重ね合わされており、上シート１６と下シート１４とが人体２０の背骨に平行な方向への相対移動を妨げるように、両者を一体化する一体化手段が設けられている。
【００２９】
図２は寝返りシート１０の原理を説明するための頭上方向から見た解説図である。
敷き布団２２側に配置される下シート１４と人体２０側に配置される上シート１６が滑面１８を介して重ね合わされている。この上で人体２０が背骨に平行な方向に回転すると、人体２０が丁度送りローラーの様な動きをする。従って、下シート１４の上を上シート１６が滑面１８を介して滑り、上シート１６がその回転方向に送り出される。つまり、人体２０の頭頂部回転中心軸はそのままの位置で体は軽く回転できる。即ち、敷き布団２２の幅方向両端部へ人体２０が移動することなく僅かな力で寝返りが打てる様になる。そして人体２０の背骨に平行な方向への相対移動を妨げるように、上シート１６と下シート１４とが一体化されていれば、寝返りを繰り返したとしても、上シート１６と下シート１４とが分離しない。
【００３０】
図３は実施例１の敷き布団２２の上に寝返りシート１０を敷いてその上に人体２０が乗った時の配置図である。
上シート１６と下シート１４は人体２０の荷重が強くかかる位置に配置され、荷重のかかる部分をカバーする寸法及び形状が選定される。人体２０の背骨方向の寸法は座高の３分の１程度、人体２０の幅方向の寸法は敷き布団２２の幅とほぼ同程度が好ましい。
上シート１６と下シート１４はいずれも、例えば、ポリエチレンシート等の適度に柔軟性があるものが好ましい。また、体重が加わることにより著しく変形したり皺が寄ることがない適度な剛性を有することが好ましい。
【実施例２】
【００３１】
図４は実施例２の寝返りシート１０の一例を示す斜視図である。
図に示すように、上シート１６と下シート１４はいずれも人体２０の両側に、人体２０の背骨にほぼ平行な端縁を配置している。さらに、上シート１６と下シート１４の一方の端縁２４は連続し、他方の端縁２６は縫合されている。
【００３２】
上シート１６と下シート１４とは、一方の端縁２４で折り返された連続したシートで、他方の端縁２６はヒートシール等の手段で縫合されることが好ましい。このチューブ状シート１２はそのまま人体２０の下に敷かれてもよいし、人体２０の背骨に平行な複数の線でタックを付けるように数カ所で折り返されてもよい。
【実施例３】
【００３３】
図５は実施例３の寝返りシート１０の一例を示す斜視図である。
図に示すように、上シート１６と下シート１４はいずれも人体２０の両側に、人体２０の背骨にほぼ平行な端縁を配置している。さらに、上シート１６と下シート１４の両方の端縁が縫合されている。
【００３４】
シートと下シート１４とは別々のシートにより構成して、両方の端縁がヒートシール等の手段で縫合されてもよい。
【実施例４】
【００３５】
図６は実施例４の寝返りシート１０の一例を示す斜視図である。
図に示すように、下シート１４は人体２０の両側に人体２０の背骨にほぼ平行な端縁を配置ている。複数の上シート１６の人体２０の背骨にほぼ平行な一方の端縁２４が、下シート１４上に所定間隔で縫合されている。
【００３６】
一枚の敷き布団２２と同程度の幅の下シート１４上に、所定間隔で複数の上シート１６の一方の端縁２４が縫合されていると、どの部分でも、下シート１４と上シート１６が滑面１８を介して重ね合わされている状態になる。こうしたルーバー状シート２８は、下シート１４と上シート１６の全体としてのずれが小さいという効果がある。
【実施例５】
【００３７】
図７は実施例５の寝返りシート１０の一例を示す斜視図である。
図に示すように、上シート１６と下シート１４とは、人体２０の背骨に平行な線を境に折り曲げられて連続一体化されている。そして、人体２０の幅に比べて十分に狭い幅のユニット３０とされている。このユニット３０を複数、人体２０の幅方向に隙間なく配列して連結した。
【００３８】
上シート１６と下シート１４とを折り曲げて、人体２０の幅に比べて十分に狭い幅のユニット３０を得る。このユニット３０を複数、前記人体２０の幅方向に隙間なく配列して連結すると、どの部分でも、下シート１４と上シート１６が滑面１８を介して重ね合わされている状態になる。これも全体としてのずれが小さくなる効果と共に滑面１８が複層になるので更に滑りやすくなるという効果もある。また、このユニット３０の各下シート１４の一部をベースシート３２の上面に縫合してもよい。
【実施例６】
【００３９】
図８は実施例６の寝返りシート１０の一例を示す斜視図である。
図に示すように、下シート１４は、上シート１６が人体２０に密着するように上シート１６の上面を開放している。さらに、下シート１４は、上シート１６の人体２０の幅方向の縁を包囲して、上シート１６の人体２０の背骨に平行な方向の移動を制限する。こうして、下シート１４は、人体２０の幅方向の移動のみを許容するガイド構造を有する。
【００４０】
下シート１４をケース状シート３４とし、上シート１６をスライドシート３６とする。下シート１４は上シート１６の人体２０の幅方向の移動のみを許容するので、下シート１４と上シート１６の全体としてのずれが小さいという効果がある。
【実施例７】
【００４１】
図９は実施例７の寝返りシート１０の一例を示す斜視図である。
この実施例では、チューブ連結上シート３８の周辺と対角線上にシート張り用ワイヤー４０を埋め込んだ。シート張り用ワイヤー４０は、グラスファイバー等の材質で薄平たく線状に構成する。チューブ連結上シート３８の裏側に、丁度凧の骨組みの様に隠されている。左右には、人体２０の背骨にほぼ平行な方向に貫通する窓を持つ一対のチューブ状シート１２を配置した。チューブ連結上シート３８の両端縁は、一対のチューブ状シート１２に固定されている。この構成により、チューブ連結上シート３８が皺になりにくい。また、シート全体の各辺を常に直線に保つという効果が生まれた。
【００４２】
また、チューブ連結上シート３８の材質を、形状記憶繊維の様な化学繊維で作ってもよい。これで、シート全体の表面を平らに保持できる。いずれの場合もチューブ連結上シート３８の下面とチューブ連結下シート４２の上面は滑面１８となっており、左右のチューブ状シート１２と共に擦られながら滑ることができる。
【００４３】
図１０は実施例７の寝返りシート１０が機能した時の各部位置関係を断面からみた解説図である。
図の上側はニュートラルポジションである。この状態からチューブ連結上シート３８が、寝返りによる力を受けて、図の矢印方向に滑った時を考える。図の下側にその後の状態を示す。チューブ連結下シート４２は敷き布団の上で左右上下とも移動はしていない。左右のチューブ状シート１２がずれる様にして滑って、チューブ連結上シート３８を図の右方向に軽く移動させている。
【００４４】
この構造の長所は、左右一対のチューブ状シート１２を設けたので、方向性が良く、チューブ連結上シート３８が安定して左右だけに移動できることである。即ち、ひとつのチューブ状シートを下に敷く場合に比べて、チューブを２連に連結した構造の方が、滑りの方向性がよい。就寝時に激しく寝返りを打った場合でも、シート本体が様々な方向に偏って行かず、皺にもならず人体２０の動きに機能低下無く追従することが可能になった。
【００４５】
なお、上記の各実施例で使用したシートの形状は、体の中心部が乗る大きさならば円形、楕円形、菱形でも良い。また、本発明の特徴は、滑面１８の働きによって外的要因に影響されずいつでも安定した滑りを確保できることにある。つまり、敷き布団、シーツ、就寝着などの素材表面が摩擦抵抗の高い如何なるものであっても、寝返りシート１０の上に乗れば人体２０を容易に滑らせ回転することが出来る。生地表面に滑性がある超極細繊維等で出来たポリエステルなどの化学繊維で製造すれば通気性もよく就寝時に蒸れることがない。
【００４６】
例えばベッドで就寝している場合、人間は寝返り時にベッドから転落しない様、無意識に体をベッドの中心部方向に戻す動きをしている。しかし、この動作が睡眠中にもリラックス出来ず肉体的にも疲労する原因となっている。本発明のシートは、人間の頭頂部回転中心軸を正中線とした位置から外れることなく体を容易に回転させることが出来る。従って、体をベッド中心部に戻す努力をすることが必要無くなり、睡眠中の肉体的精神的疲労も軽減し熟睡を確保する。さらにはベッドから転落する事故も防げる様になる。
【００４７】
急性腰痛症の患者にとって、寝返りは非常な激痛を誘発させる。さらには病状を悪化させる原因ともなっている。本発明はこの場合の寝返りも腰部の筋力を必要とさせない。従って、激痛を回避した寝返りを打たせることが可能となった。これにより、患者の安眠と病気の治癒に貢献することができた。
【００４８】
肩こり症及び頚椎疾患の患者にとって、睡眠時の寝返りは頚や肩周辺の血流を促進するために必要な運動である。しかし、寝返りに強い力が必要だと体が無抵抗のまま朝まで眠り続けてしまうことがある。その結果、朝の起床時に首や肩の凝りが激しく発症する。本発明はこの場合の寝返りも容易に可能となる。従って、患者に合った適度な高さの枕と本発明とを組み合わせることによって、睡眠時の適度な寝返り運動が肩周辺の血行を促進させ、凝りの治癒に働く。
【実施例８】
【００４９】
図１１は、実施例８のシートの斜視図である。
サテン生地を上シート１６と下シート１４に用いれば、両シートの生地目が交差する様に配置することによって滑り抵抗値が低くなり、布地でありながら良く滑り尚かつ通気性が良くなった。
【００５０】
図１１において、上シート１６と下シート１４は縫合されていない互いに独立して重ねられたシートなので上シート１６は人の様々な寝返り方によって左右上下を自在に動く。上シート１６の四隅には、定位置に戻すための弱い力で牽引するリールコード４６が付いているので、常に人体に優しく上シート１６は下シート１４の中心部に引き戻される。
【００５１】
図１１において、四隅にある上シート牽引リール４８にリールコード４６がほぼ全部収まった状態で、上シート１６がピンと張りつめる構造になっているため、上シート張り棒４４と相まって、人がシートの上に乗っていない状態では、上シート１６に皺が寄ったり片寄ることがない。
【００５２】
図１２は、実際に上シート１６を滑らせてリールコード４６を引いた状態を示した図である。
図のように、寝返りによって、上シート１６の片辺が撓む。上シート１６の復元力と相まって、もう片辺側のリールコード４６が上シート１６を定位置に戻す様に引くため、素早く容易に元に戻せる構造になった。
【実施例９】
【００５３】
図１３は、実施例９のシートの斜視図である。
この例では、上シート１６が両端で折り返されて、その端縁が下シート１４に縫合されている。上シート１６が下シート１４に一体に連結されてループ状になったことによって上シート１６の移動時のズレが少なくなったものである。さらに上シート１６の両折り返し縁に一体化した上シート張り棒４４がシートの縦方向の皺を抑制している。上シート張り棒４４は、上シートよりも十分に硬いプラスチック棒や金属線により構成する。
【００５４】
図１４は、上記のシートを実際に使用した時の状態を示した斜視図である。
上シート１６をループ状にしたことで、シートが図のように激しく皺状になったとしても、上シート張り棒４４に接合された引き戻し用のリールコード４６によって上シート１６がピンと張った綺麗な状態で定位置に戻される様になった。
【実施例１０】
【００５５】
図１５は、実施例１０のシートの斜視図である。図１６は、実際に使用した時のゴムひも５２が伸びた状態の図である。
この例では、上シート１６の四隅をゴムひも５２によって引っ張り定位置に戻す様にした。これは構造が単純で機械的故障が無く、衛生上の洗濯をする時も外す部品が無く、取り扱いが非常に容易になった。また、十分にコストも削減できる。
【実施例１１】
【００５６】
図１７は、実施例１１の下シートの固定方法を説明する斜視図である。
これは、下シート１４を敷き布団２２に固定した時の状態を示したものである。
下シート固定用シート５０は、敷き布団２２よりも幅広に構成されている。通常のシーツを布団に被せるのと同様に、図の様に敷き布団２２の下側に巻き込む形で敷き布団２２に固定させる。これにより、全体を非常に簡単に固定でき、尚かつ本体を外す時も容易である。
【実施例１２】
【００５７】
図１８は、実施例１１のシートの斜視図である。
下シート１４に上シート牽引リール４８を固定するためのリール固定用ポケット５４を装着した図である。
このポケットの中に上シート牽引リール４８を納めて固定するものである。上シート牽引リール４８は、釣り道具などで多用されている。リールコード４６をゼンマイの弾力でケース内に巻き込み、リールコード４６を引き出すと、リールコード４６にケース内に引き込む方向に弾力を及ぼす機能を持つ。ケースには安全ピン等の固定手段が取付られ、ケースを下シートの任意の場所に固定できる。リールコード４６はポケットの底の小穴から外部へ伸びる様になっている。このポケットがリールを包み込んでカバーするため寝返り時にリールが身体に触れても不愉快でなく、また万一リールが壊れて破片が露出しても怪我などのおそれがない。
【００５８】
図１９は、リール固定用ポケット５４の斜視図である。
ポケットを３枚ずらしながら重ねることによって、リールを固定する位置を変えることができるため、寝具幅に合わせた最適な位置にリールをセッティングが出来る様になった。
図２０は、リール固定用ポケット５４を横から見た断面図である。
図２１は、リール固定用ポケット５４の前側ポケットに上シート牽引リール４８を装着した時の断面図である。図２２は、リール固定用ポケット５４の中側ポケットに上シート牽引リール４８を装着した時の断面図である。
３連のポケットの開口部にはそれぞれ面ファスナ５６で開口部を塞ぐようになっているため、リールの着脱や位置変更が容易である。
【実施例１３】
【００５９】
図２３は実施例１３のシートの分解斜視図である。
図は、上シート用上面布５８と上シート用下面布６０と横方向生地目の下シートが６２が３層に重なる構成を示した図である。上シート用上面布５８は横方向に生地目が成る布であり、上シート用下面布６０は縦方向に生地目が成る布で、この２つの生地を貼り合わせ縫合し１枚の１６上シートと成る。そしてその下には横方向に生地目が成る横方向生地目の下シート６２が上シート１６を滑らすために下シート１４として構成している。生地自体の表面は生地目方向に滑りやすい性質があるが、生地の表面同士が上下に重なり合う場合、生地目方向が交差すると生地は互いにとても滑りやすくなる特性がある。
【００６０】
図２４は実施例１３のシートの主要部斜視図である。
図の横方向生地目の下シート６２の上に上シート用上面布５８が上面に縫合された上シート１６と実際に重なり合って少し横に滑り、ずれた時の状態を示したものである。ずれた時も、この様に両シート上面の生地の生地目が横方向に揃うことによって上下シート全体が生地目方向に滑りやすくなるため、たとえ寝返り時に身体が上シート１６からはみ出し、下シート１４の上にまたがって乗っても下シート１４の生地目が横方向に向いているので滑りやすくなり、さらに円滑に寝返り動作を補助することが出来る様になった。つまり、中間のシートを含む３層の布シートの組み合わせにより、本発明による上下シート間の滑りと共に生地表面自らが持つ生地目方向の低摩擦性質の相乗効果が生まれ一層広範囲なシート上での寝返り補助を可能にした。
【実施例１４】
【００６１】
図２５は、実施例１４のシートの斜視図である。
下シート１４に縫合された上シート固定用ボタン６４とそれに合う上シート１６のボタンホールとの位置関係を示した図である。図の様に上シート固定用ボタン６４は上シート１６を一時的に固定する役割を持つ。これの役割はこれから就寝に入ろうと人が初めて上シート１６に乗る時、シートの中心部へ体を移動して行く過程での摩擦で上シート１６が下シート１４上のニュートラルポジションから四方八方にずれてしまうのを防ぐ働きをする。就寝に入る前、最初にこの上シート固定用ボタン６４を上シート１６に嵌め固定し、人体２０が上シート１６の端から乗って最も適切なポジションに体が移動したところでこのボタンを外すことにより上シート１６が滑り出す様になる。これによって、痛くて腰が持ち上がらない様な状態でも寝返り補助効果が最大限に得られる上シート１６の中心部へシートがずれることなく体を乗せることが容易に出来る様になった。上シートと下シートとを一時的に固定する固定手段は、ボタンやフック、結束紐、面ファスナ等でもよい。
【符号の説明】
【００６２】
１０  寝返りシート
１２  チューブ状シート
１４  下シート
１６  上シート
１８  滑面
２０  人体
２２  敷き布団
２４  一方の端縁
２６  他方の端縁
２８  ルーバー状シート
３０  ユニット
３２  ベースシート
３４  ケース状シート
３６  スライドシート  
３８  チューブ連結上シート
４０  シート張り用ワイヤー
４２  チューブ連結下シート
４４  上シート張り棒
４６  リールコード
４８  上シート牽引リール
５０  下シート固定用シート
５２  ゴムひも
５４  リール固定用ポケット
５６  面ファスナ
５８  上シート用上面布
６０  上シート用下面布
６２  横方向生地目の下シート
６４  上シート固定用ボタン
【図１】
2011104210.tif 000003
【図２】
2011104210.tif 000004
【図３】
2011104210.tif 000005
【図４】
2011104210.tif 000006
【図５】
2011104210.tif 000007
【図６】
2011104210.tif 000008
【図７】
2011104210.tif 000009
【図８】
2011104210.tif 000010
【図９】
2011104210.tif 000011
【図１０】
2011104210.tif 000012
【図１１】
2011104210.tif 000013
【図１２】
2011104210.tif 000014
【図１３】
2011104210.tif 000015
【図１４】
2011104210.tif 000016
【図１５】
2011104210.tif 000017
【図１６】
2011104210.tif 000018
【図１７】
2011104210.tif 000019
【図１８】
2011104210.tif 000020
【図１９】
2011104210.tif 000021
【図２０】
2011104210.tif 000022
【図２１】
2011104210.tif 000023
【図２２】
2011104210.tif 000024
【図２３】
2011104210.tif 000025
【図２４】
2011104210.tif 000026
【図２５】
2011104210.tif 000027